(57)【要約】【課題】  コーナー支持部材に対し、天板支持フレームと脚フレームをボルトで直接連結することで支持枠体の連結強度を高め、長期使用によっても支持枠体の連結強度が維持されるテーブルのフレーム構造を提供すること。【解決手段】  天板支持フレーム１４及び脚フレーム２１はそれぞれがコーナー支持部材３に対して嵌合突起１０、１１と嵌合溝１８ａ、２４ａによる接続とボルト４１、４２によるネジ接続の両者で連結されているので強固な支持枠体が構築できる。また、前面が開口したコーナー支持部材３の前面開口部９からネジ接続作業ができるので取付作業が簡便に行え、かつ前面開口部９にコーナーカバーを取り付けることによって、ボルト４１、４２の接続を外部から見えないように隠蔽できるばかりでなく、コーナー支持部材３の前面開口部９の強度上の補強効果がある。【選択図】  図２
2005185599.tif 000002
【特許請求の範囲】
【請求項１】
天板支持フレームの両端に、上面部、後面部、下面部、内側面部、外側面部及び前面側が開口した前面開口部からなる箱型のコーナー支持部材を介して脚フレームを設けた一対の支持枠体の上部に天板を取り付けたテーブルのフレーム構造であって、
前記コーナー支持部材の下面部と内側面部のそれぞれに、通孔と、各面部に直交して外方に突出する嵌合突起とを設けるとともに、天板支持フレームの端面側には前記内側面部の嵌合突起と嵌合する嵌合溝と雌ネジ部を、脚フレームの上端面側には前記下面部の嵌合突起と嵌合する嵌合溝と雌ネジ部を設け、前記内側面部の嵌合突起を天板支持フレームの嵌合溝に嵌合するとともに、前記コーナー支持部材の前面開口部側から前記内側面部に設けた通孔を挿通するボルトを前記雌ネジ部に螺合してコーナー支持部材と天板支持フレームとを連結し、かつ前記下面部の嵌合突起を脚フレームの嵌合溝に嵌合するとともに、前記コーナー支持部材の前面開口部側から前記下面部に設けた通孔を挿通するボルトを前記雌ネジ部に螺合してコーナー支持部材と脚フレームとを連結し、前記コーナー支持部材の前面開口部にはコーナーカバーを取り付けて該開口部を閉蓋したことを特徴とするテーブルのフレーム構造。
【請求項２】
前記コーナーカバーは、前記コーナー支持部材の後面部からネジ結合されている請求項１に記載のテーブルのフレーム構造。
【請求項３】
天板支持フレームの嵌合溝に嵌合した前記内側面部の嵌合突起は、天板支持フレームの後面側からネジ結合され、脚フレームの嵌合溝に嵌合した前記下面部の嵌合突起は、脚フレームの後面側からネジ結合される請求項１または２に記載のテーブルのフレーム構造。
【請求項４】
前記支持枠体は、前記天板支持フレームの上面部とコーナー支持部材の上面部が面一であり、脚フレームの外側面部とコーナー支持部材の外側面部が面一である請求項１乃至３のいずれかに記載のテーブルのフレーム構造。
【請求項５】
前記支持枠体は、前記天板支持フレームの前面部とコーナーカバーの前面部と脚フレームの前面部とが面一である請求項１乃至４のいずれかに記載のテーブルのフレーム構造。
【請求項６】
前記天板支持フレームの上面部にはその長手方向に沿った複数の溝を有する凹凸面が形成され、脚フレームの外側面部にはその上下方向に沿った複数の溝を有する凹凸面が形成され、コーナー支持部材の上面部及び外側面部にも複数の溝を有する凹凸面が形成され、天板支持フレーム、コーナー支持部材及び脚フレームのすべての凹凸面の溝が連続している請求項１乃至５のいずれかに記載のテーブルのフレーム構造。
【請求項７】
前記天板支持フレームの前面部にはその長手方向に沿った複数の溝を有する凹凸面が形成され、脚フレームの前面部にはその上下方向に沿った複数の溝を有する凹凸面が形成され、コーナーカバー前面部にも複数の溝を有する凹凸面が形成され、天板支持フレーム、コーナーカバー及び脚フレームのすべての凹凸面の溝が連続している請求項１乃至６のいずれかに記載のテーブルのフレーム構造。
【請求項８】
前記天板支持フレームの前面部は上方から下方に向かい後方に後退するテーパー面部で構成され、脚フレームの前面部は外方から内方に向かい後方に後退するテーパー面部で構成され、コーナーカバーの天板支持フレーム側は天板支持フレームの前面部と同一のテーパー面部で構成され、コーナーカバーの脚フレーム側は脚フレームの前面部と同一のテーパー面部で構成されている請求項１乃至７のいずれかに記載のテーブルのフレーム構造。
【請求項９】
前記一対の支持枠体の相対するコーナー支持部材の後面部間には、それぞれ前記前面開口部からネジ結合される連結ビームが配設されている請求項１乃至８のいずれかに記載のテーブルのフレーム構造。
【発明の詳細な説明】
【技術分野】
【０００１】
本発明は、天板支持フレームの両端に、コーナー支持部材を介して脚フレームを設けた１対の支持枠体の上部に天板を取り付けたテーブルのフレーム構造に関する。
【背景技術】
【０００２】
従来のテーブルの天板を支持する支持枠体は、コーナー支持部材と天板支持フレームと脚フレームとから構成されている。コーナー支持部材の内側面部にはネジ孔が形成された嵌合突起が設けられ、下面部には嵌合突起が設けられるとともに、上下に貫通するネジ孔が形成されている。天板支持フレームの端面部側には前記内側面部の嵌合突起が嵌合可能な嵌合溝が形成され、脚フレームの上端面側には前記下面部の嵌合突起が嵌合可能な嵌合溝とネジ部が形成されている。
【０００３】
そして、天板支持フレームと脚フレームとの連結は、コーナー支持部材の内側面部と下面部の嵌合突起を天板支持フレームと脚フレームの嵌合溝に各々嵌合した後、天板支持フレームの下面部に形成された通孔にネジを挿通して、嵌合突起のネジ穴に螺合することで天板支持フレームがコーナー支持部材に固定され、一方、締付ボルトをコーナー支持部材のネジ孔を介して脚フレームのネジ部に螺合することで、脚フレームがコーナー支持部材に固定されている（特許文献１参照）。
【０００４】
【特許文献１】実開平５−３９３３１号公報（第１図）
【発明の開示】
【発明が解決しようとする課題】
【０００５】
しかしながら、特許文献１にあっては、脚フレームに対しては締付ボルトを用いているが、コーナー支持部材と天板支持フレームの連結は、コーナー支持部材の構造的な制約から、ネジと嵌合突起に形成されたネジ孔との螺合による固定手段のみであり、コーナー支持部材の内側面部と天板支持フレームの端面を直接連結する手段は備わっていなかったので、支持枠体の連結強度が長期使用により低下する恐れがあった。
【０００６】
本発明は、このような問題点に着目してなされたもので、コーナー支持部材に対し、天板支持フレームと脚フレームをボルトを介して直接連結することで支持枠体の連結強度を高め、長期使用によっても支持枠体の連結強度が維持されるテーブルのフレーム構造を提供することを目的とする。
【課題を解決するための手段】
【０００７】
上記課題を解決するために、本発明の請求項１に記載のテーブルのフレーム構造は、天板支持フレームの両端に、上面部、後面部、下面部、内側面部、外側面部及び前面側が開口した前面開口部からなる箱型のコーナー支持部材を介して脚フレームを設けた一対の支持枠体の上部に天板を取り付けたテーブルのフレーム構造であって、
前記コーナー支持部材の下面部と内側面部のそれぞれに、通孔と、各面部に直交して外方に突出する嵌合突起とを設けるとともに、天板支持フレームの端面側には前記内側面部の嵌合突起と嵌合する嵌合溝と雌ネジ部を、脚フレームの上端面側には前記下面部の嵌合突起と嵌合する嵌合溝と雌ネジ部を設け、前記内側面部の嵌合突起を天板支持フレームの嵌合溝に嵌合するとともに、前記コーナー支持部材の前面開口部側から前記内側面部に設けた通孔を挿通するボルトを前記雌ネジ部に螺合してコーナー支持部材と天板支持フレームとを連結し、かつ前記下面部の嵌合突起を脚フレームの嵌合溝に嵌合するとともに、前記コーナー支持部材の前面開口部側から前記下面部に設けた通孔を挿通するボルトを前記雌ネジ部に螺合してコーナー支持部材と脚フレームとを連結し、前記コーナー支持部材の前面開口部にはコーナーカバーを取り付けて該開口部を閉蓋したことを特徴としている。
この特徴によれば、天板支持フレーム及び脚フレームはそれぞれがコーナー支持部材に対して嵌合突起と嵌合溝による接続とボルトによるネジ接続の両者で連結されているので強固な支持枠体が構築できる。また、前面が開口したコーナー支持部材の前面開口部からネジ接続作業ができるので取付作業が簡便に行え、かつ前面開口部に取り付けられるコーナーカバーによって、ボルトの接続を外部から見えないように隠蔽できるばかりでなく、コーナー支持部材の前面開口部の強度上の補強効果がある。
【０００８】
本発明の請求項２に記載のテーブルのフレーム構造は、請求項１に記載のテーブルのフレーム構造であって、前記コーナーカバーは、前記コーナー支持部材の後面部からネジ結合されていることを特徴としている。
この特徴によれば、コーナーカバーとコーナー支持部材とを結合するネジの取付位置がコーナー支持部材の後面部側に形成されることから、テーブルの外部から見えないようにできる。
【０００９】
本発明の請求項３に記載のテーブルのフレーム構造は、請求項１または２に記載のテーブルのフレーム構造であって、天板支持フレームの嵌合溝に嵌合した前記内側面部の嵌合突起は、天板支持フレームの後面側からネジ結合され、脚フレームの嵌合溝に嵌合した前記下面部の嵌合突起は、脚フレームの後面側からネジ結合されることを特徴としている。
この特徴によれば、嵌合突起を嵌合溝に嵌合した上でネジ結合しているので、コーナー支持部材と天板支持フレームと脚フレームの互いの連結がより強固に補強され、しかも、ネジが天板支持フレームと脚フレームの後面部側から挿通されるので、ネジの取り付け位置がテーブルの外部から隠蔽される。
【００１０】
本発明の請求項４に記載のテーブルのフレーム構造は、請求項１乃至３のいずれかに記載のテーブルのフレーム構造であって、前記支持枠体は、前記天板支持フレームの上面部とコーナー支持部材の上面部が面一であり、脚フレームの外側面部とコーナー支持部材の外側面部が面一であることを特徴としている。
この特徴によれば、天板支持フレームの上面部とコーナー支持部材の上面部が面一であるので、天板の載置に何ら支障を生じさせる恐れがないばかりか、脚フレームの外側面部とコーナー支持部材の外側面部も面一であることから、コーナー支持部材と天板支持フレームの上面部の継ぎ目及び、コーナー支持部材と脚フレームの外側面部の継ぎ目とを目立たせないようにできるので、例えば、天板を硝子テーブルとした場合にもテーブル上方からの体裁が良好である。
【００１１】
本発明の請求項５に記載のテーブルのフレーム構造は、請求項１乃至４のいずれかに記載のテーブルのフレーム構造であって、前記支持枠体は、前記天板支持フレームの前面部とコーナーカバーの前面部と脚フレームの前面部とが面一であることを特徴としている。
この特徴によれば、天板支持フレームとコーナーカバーと脚フレームのそれぞれの前面部とが面一であるので、コーナー支持部材と天板支持フレームの前面部の継ぎ目と、コーナー支持部材と脚フレームの前面部の継ぎ目とを目立たせないようにでき、テーブル前面からの体裁が良好である。
【００１２】
本発明の請求項６に記載のテーブルのフレーム構造は、請求項１乃至５のいずれかに記載のテーブルのフレーム構造であって、前記天板支持フレームの上面部にはその長手方向に沿った複数の溝を有する凹凸面が形成され、脚フレームの外側面部にはその上下方向に沿った複数の溝を有する凹凸面が形成され、コーナー支持部材の上面部及び外側面部にも複数の溝を有する凹凸面が形成され、天板支持フレーム、コーナー支持部材及び脚フレームのすべての凹凸面の溝が連続していることを特徴としている。
この特徴によれば、長手方向に沿った複数の溝を有する凹凸面によって、コーナー支持部材と天板支持フレームの上面部の継ぎ目及び、コーナー支持部材と脚フレームの外側面部の継ぎ目とを極力目立たせないようにでき、しかもテーブルの外部からの体裁が良好でデザイン性にも優れる。
【００１３】
本発明の請求項７に記載のテーブルのフレーム構造は、請求項１乃至６のいずれかに記載のテーブルのフレーム構造であって、前記天板支持フレームの前面部にはその長手方向に沿った複数の溝を有する凹凸面が形成され、脚フレームの前面部にはその上下方向に沿った複数の溝を有する凹凸面が形成され、コーナーカバー前面部にも複数の溝を有する凹凸面が形成され、天板支持フレーム、コーナーカバー及び脚フレームのすべての凹凸面の溝が連続していることを特徴としている。
この特徴によれば、長手方向に沿った複数の溝を有する凹凸面によって、コーナー支持部材と天板支持フレームの前面部の継ぎ目と、コーナー支持部材と脚フレームの前面部の継ぎ目とを極力目立たせないようにでき、しかもテーブルの前面からの体裁が良好でデザイン性にも優れる。
【００１４】
本発明の請求項８に記載のテーブルのフレーム構造は、請求項１乃至７のいずれかに記載のテーブルのフレーム構造であって、前記天板支持フレームの前面部は上方から下方に向かい後方に後退するテーパー面部で構成され、脚フレームの前面部は外方から内方に向かい後方に後退するテーパー面部で構成され、コーナーカバーの天板支持フレーム側は天板支持フレームの前面部と同一のテーパー面部で構成され、コーナーカバーの脚フレーム側は脚フレームの前面部と同一のテーパー面部で構成されていることを特徴としている。
この特徴によれば、天板支持フレームとコーナーカバーと脚フレームの前面部は、テーブルの前面から後面に向かって傾斜する同一のテーパー面部によって構成されるので、通常のテーブルにない斬新性と周囲の視線を引き付けるデザイン性がある。
ことができる。
【００１５】
本発明の請求項９に記載のテーブルのフレーム構造は、請求項１乃至８のいずれかに記載のテーブルのフレーム構造であって、前記一対の支持枠体の相対するコーナー支持部材の後面部間には、それぞれ前記前面開口部からネジ結合される連結ビームが配設されていることを特徴としている。
この特徴によれば、相対するコーナー支持部材の後面部間を連結ビームで連接することにより、一方の支持枠体と他方の支持枠体が連結され、より強固な支持枠体が構築される。
【発明を実施するための最良の形態】
【００１６】
本発明の実施例を以下に説明する。
【実施例】
【００１７】
図1は、本発明の実施例としてのテーブルの支持枠体構造の全体像を示す斜視図であり、図２は、テーブルの支持枠体を構成するコーナー支持部材と天板支持フレームと脚フレームとの分解組立斜視図を示す図であり、図３は、コーナー支持部材の嵌合突起と天板支持フレームとの連結を示す断面図であり、図４は、テーブルの支持枠体を構成するコーナー支持部材にコーナーカバーと連結ビームを取り付ける分解組立斜視図を示す図であり、図５は、コーナー支持部材とコーナーカバーとの連結を示す断面図であり、図６は、コーナー支持部材と天板支持フレームと脚フレームとコーナーカバーと連結ビームが連結された支持枠体の組立完成斜視図であり、図７は、支持枠体に天板を取り付けた状態を示すテーブルの斜視図である。
【００１８】
図１に示されるように、天板２の下面に沿うように設けられた天板支持フレーム１４の両端に前面にコーナーカバー３０を備えたコーナー支持部材３を設け、このコーナー支持部材３の下端に脚フレーム２１を設けることで構成された支持枠体を前後に一対設け、これら前後に設けられた支持枠体の左右のコーナー支持部材３を連結ビーム３５で連結し、支持枠体の上方より天板２を取り付けることで、テーブル１が構成されている。
【００１９】
なお、このテーブルは、主に会社役員等の役職向けのデスクワーク用テーブルとして製作されているが、その用途を特に限定するものではない。また、特に図示しないが、天板２の左右の下方空間には物品等を収容できるキャビネットを収納できるようになっている。
【００２０】
前述のコーナー支持部材３に天板支持フレーム１４と脚フレーム２１を取り付ける連結構造を説明する。
【００２１】
図２に示されるように、コーナー支持部材３は、上面部６、後面部８、外側面部５、下面部７、内側面部４及び、前面側が開口した前面開口部９からなる箱型の形状を有している。上面部６には天板支持フレーム１４の長手方向に複数の溝が形成された凹凸面６ａが形成され、外側面部５にも上下方向に複数の溝が形成された凹凸面５ａが形成されている。
【００２２】
内側面部４と下面部７のそれぞれに各面部に直行して外方に突出する嵌合突起１０、１１が設けられている。この嵌合突起１０、１１には後面側から前面方向に固定ネジ４３、４４を螺合可能な雌ネジ孔１０ａ、１１ａが形成されている。
【００２３】
内側面部４には、連結ボルト４１をコーナー支持部材３の内側から天板支持フレーム１４の長さ方向に挿通可能なボルト挿通孔４ａが形成されており、同じく下面部７には、連結ボルト４２をコーナー支持部材３の内側から脚フレーム２１の上下方向に挿通可能なボルト挿通孔７ａが形成されている。
【００２４】
天板支持フレーム１４は、上面部１５、後面部１９、下面部１７、テーパー面部からなる前面部２０で構成され、テーパー面部は上方から下方に向かい後方に傾斜するテーパー面が形成されている。天板支持フレーム１４の端面１８側には、コーナー支持部材３の嵌合突起１０を嵌合可能な嵌合溝１８ａが形成されるとともに、連結ボルト４１を螺合可能な雌ネジ部１８ｂが略中心部に形成されている。後面部１９には後面側から前面側に向けて、固定ネジ４３を挿通可能な通孔１９ａ（図３参照）が形成されている。
【００２５】
上面部１５には天板支持フレーム１４の長手方向に沿って複数の溝が形成された凹凸面１５ａが形成され、前面部も同様に長手方向に沿って複数の溝が形成された凹凸面２０ａが形成されている。
【００２６】
脚フレーム２１は、外側面部２３、内側面部２２、後面部２５、テーパー面部からなる前面部２６で構成され、このテーパー面部は外方から内方に向かい後方に傾斜するテーパー面が形成されている。脚フレーム２１の上端面２４側には、コーナー支持部材３の嵌合突起１１を嵌合可能な嵌合溝２４ａが形成されるとともに、連結ボルト４２を螺合可能な雌ネジ部２４ｂが形成されている。後面部２５には後面側から前面側に向けて、固定ネジ４４を挿通可能な通孔２５ａが形成されている。
【００２７】
外側面部２３には、脚フレーム２１の長手方向（取付け時における上下方向）に沿って複数の溝が形成された凹凸面２３ａが形成され、前面部２６も同様に長手方向に沿って複数の溝が形成された凹凸面２６ａが形成されている。
【００２８】
次に、上記したコーナー支持部材３と天板支持フレーム１４と脚フレーム２１の連結方法について説明する。
【００２９】
まず、コーナー支持部材３と天板支持フレーム１４の連結を説明する。嵌合溝１８ａに嵌合突起１０を嵌入させ、天板支持フレーム１４の端面１８と内側面部４とを接合させた状態で、連結ボルト４１をコーナー支持部材３の前面開口部９から内側面部４のボルト挿通孔４ａに挿通して天板支持フレーム１４の端面１８方向に延出させ、端面１８に形成した雌ネジ部１８ｂに螺合させることにより、天板支持フレーム１４とコーナー支持部材３の連結が行われている。
【００３０】
同様に、コーナー支持部材３と脚フレーム２１の連結においても、嵌合溝２４ａに嵌合突起１１を嵌入させ、脚フレーム２１の上端面２４と下面部７とを接合させた状態で、連結ボルト４２をコーナー支持部材３の前面開口部９から下面部７のボルト挿通孔７ａに挿通し、脚フレーム２１の上端面２４方向に延出させ、上端面２４に形成した雌ネジ部１８ｂに螺合させることにより、天板支持フレーム１４と脚フレーム２１の連結が行われている。
【００３１】
このように、天板支持フレーム１４及び脚フレーム２１はそれぞれがコーナー支持部材３に対して嵌合突起１０、１１と嵌合溝１８ａ、２４ａによる接続と連結ボルト４１、４２によるネジ接続の両者で連結されているので強固な支持枠体が構築できる。また、前面が開口したコーナー支持部材３の前面開口部９からネジ接続作業ができるので取付作業が簡便に行える。
【００３２】
さらに、図３に示されるように、固定ネジ４３を天板支持フレーム１４の後面部１９に形成された通孔１９ａに挿通させ、嵌合溝１８ａに嵌入された嵌合突起１０の雌ネジ孔１０ａに螺合させながら締め上げていくことで、天板支持フレーム１４とコーナー支持部材３との位置固定が行われ、互いの連結が補強される。
【００３３】
同様にして、固定ネジ４４（図２参照）を脚フレーム２１の後面部２５に形成された通孔２５ａに挿通させ、嵌合溝２４ａに嵌入された嵌合突起１１の雌ネジ孔１１ａに螺合させながら締め上げていくことで、脚フレーム２１とコーナー支持部材３との位置固定が行われ、互いの連結が補強される。
【００３４】
このように、嵌合突起１０、１１を嵌合溝１８ａ、２４ａに嵌合した上で固定ネジ４３、４４で結合しているので、コーナー支持部材３と天板支持フレーム１４と脚フレーム２１の互いの連結がより強固に補強され、しかも、固定ネジ４３、４４が天板支持フレーム１４と脚フレーム２１の後面部１９、２５側から挿通されるので、固定ネジ４３、４４の取り付け位置がテーブル１の外部から隠蔽される（図１、図７参照）。
【００３５】
次に、コーナー支持部材３の後面部８と連結ビーム３５の連結方法と、コーナーカバー３０の取り付けについて説明する。
【００３６】
まず、後面部８と連結ビーム３５の連結について説明すると、図４に示されるように、コーナー支持部材３の後面部８の中央位置には前面開口部９側から後面部８の外方に向けて、連結ボルト４０を挿通可能なボルト挿通孔８ａが形成されており、連結ビーム３５の端部側には連結部３６が設けられ、連結部３６の中央位置には、連結ビーム３５の長さ方向に形成されたボルト受孔３６ａが形成されている。
【００３７】
そこで、前面開口部９の前面側からボルト挿通孔８ａに連結ボルト４０を挿通させ、この連結ボルト４０を連結ビーム３５のボルト受孔３６ａに螺合させていくことで、後面部８と連結ビーム３５の端部が接合し、さらに連結ボルト４０を締め上げていくことにより、コーナー支持部材３と連結ビーム３５が連結される。なお、図示しないが連結ビーム３５の他端側も同様な手法により、背面側のコーナー支持部材３に連結される。
【００３８】
このように、相対するコーナー支持部材３の後面部８間を連結ビーム３５で連接することにより、一方の支持枠体と他方の支持枠体が連結され、より強固な支持枠体が構築される。
【００３９】
次いで、コーナー支持部材３へのコーナーカバー３０の取り付けについて説明する。まず、コーナーカバー３０の構造について図４により説明すると、コーナーカバー３０の前面側には、前面側から後方にかけて下方に傾斜するようにテーパー面３１が形成されており、このテーパ面３１の天板支持フレーム１４側は天板支持フレーム１４のテーパ面と、脚フレーム２１側は脚フレーム２１のテーパ面とそれぞれ一致するテーパ角度となっている。
【００４０】
テーパー面３１の天板支持フレーム１４側に天板支持フレーム１４の凹凸面２０ａの溝と連続する溝が設けられた凹凸面３１ａが形成され、テーパー面３１の脚フレーム２１側に脚フレーム２１の凹凸面２６ａの溝と連続する溝が設けられた凹凸面３１ｂが形成されている。コーナーカバー３０の後面側には、固定ネジ４５、４６が螺合する２つのネジ穴３２ａがそれぞれ設けられたネジ受部３２が形成されている。
【００４１】
コーナー支持部材３の後面部８の内側面部４と下面部７のそれぞれ近傍側には、後面部８の外方側から前面開口部９に向けて、固定ネジ４５、４６を挿通可能なネジ挿通孔８ｂ、８ｃが形成されている。
【００４２】
そこで、コーナーカバー３０の取り付けに際しては、コーナー支持部材３の前面開口部９を閉蓋するように、コーナーカバー３０を前面側から嵌め込みながら取り付け、さらに詳しくは、図５に示されるように、固定ネジ４５をコーナー支持部材３の後面部８の後方からネジ挿通孔８ｂを介して挿通させて、ネジ受部３２のネジ受孔３２ａに螺合させながら締め上げていくことにより、コーナーカバー３０の前面開口部９の位置固定を行っている。
【００４３】
固定ボルト４６の取り付けも固定ボルト４５と同様に、後面部８の後方からネジ挿通孔８ｃを介して挿通させて、ネジ受部３２の他のネジ受孔３２ａに螺合させることにより、コーナーカバー３０をより強固に前面開口部９に位置固定する構成になっている。
【００４４】
このように、コーナーカバー３０を取り付けることにより、前述の連結ボルト４０，４１、４２を外部から見えないように隠蔽できるばかりでなく、コーナー支持部材３の前面開口部９の強度上の補強が行える。
【００４５】
しかも、コーナーカバー３０とコーナー支持部材３とを結合する固定ネジ４５、４６の取付位置がコーナー支持部材３の後面部８側に形成されることから、テーブル１の外部からは見えない。（図１、図７参照）
【００４６】
以上の取り付けによって図６に示されるように、天板支持フレーム１４と脚フレーム２１とコーナー支持部材３が連結されて支持枠体が構築され、コーナー支持部材３の後面位置に連結ビーム３５が連結され、コーナー支持部材３の前面位置にコーナーカバー３０の取り付けが行われることで、天板２を支持するためのフレームが構成される。なお、本実施例においてはテーブル１（図１参照）の正面右側のコーナー側を中心に説明したが、他の正面左側、背面右側、背面左側のコーナー部の支持枠体におけるフレームの構造も略同一の構成であるので説明を省略する。
【００４７】
コーナー支持部材３、天板支持フレーム１４、脚フレーム２１が連結された状態となると、天板支持フレーム１４の凹凸面１５ａとコーナー支持部材３の凹凸面６ａが面一となり、天板支持フレーム１４の長さ方向に沿って凹凸面１５ａと凹凸面６ａに設けられた溝が同位置で連接される。同様に脚フレーム２１の凹凸面２３ａとコーナー支持部材３の凹凸面５ａが面一となり、脚フレーム２１の上下方向に沿って凹凸面２３ａと凹凸面５ａに設けられた溝が同位置で連接される。
【００４８】
このように、天板支持フレーム１４の上面部１５とコーナー支持部材３の上面部６が面一であるので、天板２の載置に何ら支障を生じさせる恐れがないばかりか、脚フレーム２１の外側面部２３とコーナー支持部材３の外側面部５も面一であることから、コーナー支持部材３と天板支持フレーム１４の上面部１５、６の継ぎ目及び、コーナー支持部材３と脚フレーム２１の外側面部２３、５の継ぎ目とを目立たせないようにできるので、例えば、天板２を透過性のある硝子テーブルとした場合にもテーブル１の上方からの体裁が良好である。
【００４９】
しかも、コーナー支持部材３と天板支持フレーム１４の上面部１５、６の継ぎ目を長手方向に沿った複数の溝を有する凹凸面６ａ、１５ａによって、コーナー支持部材３と脚フレームの外側面部２３、５の継ぎ目を凹凸面５ａ、２３ａによって、極力目立たせないようにでき、しかもテーブル１の外部からの体裁が良好でデザイン性にも優れる。
【００５０】
また、コーナー支持部材３、天板支持フレーム１４、脚フレーム２１が連結された状態では、天板支持フレーム１４の凹凸面２０ａとコーナーカバー３０の凹凸面３１ａが面一となり、天板支持フレーム１４の長さ方向に沿って凹凸面２０ａと凹凸面３１ａに設けられた溝が同位置で連接される。同様に脚フレーム２１の凹凸面２６ａとコーナーカバー３０の凹凸面３１ｂが面一となり、脚フレーム２１の上下方向に沿って凹凸面２６ａと凹凸面３１ｂに設けられた溝が同位置で連接される。なお、コーナー支持部材３の凹凸面６ａと凹凸面５ａの溝は直行して同位置で連接されるように設けられ、コーナーカバー３０の凹凸面３１ａと３１ｂの溝も同位置で連接されるように設けられている。
【００５１】
このように、長手方向に沿った複数の溝を有する凹凸面２０ａと３１ａが面一となり、凹凸面２６ａと３１ｂとが面一となることによって、コーナー支持部材３と天板支持フレーム１４の前面部２０のテーパー面部の継ぎ目と、コーナー支持部材３と脚フレーム２１の前面部２６のテーパー面部の継ぎ目とを極力目立たせないようにでき、しかもテーブル１の前面からの体裁が良好でデザイン性にも優れる。
【００５２】
しかも、天板支持フレーム１４とコーナーカバー３０と脚フレーム２６の前面側は、テーブルの前面から後面に向かって傾斜する同一のテーパー面によって構成され、各溝はすべて連続しているので、通常のテーブルにない斬新性と周囲の視線を引き付けるデザイン性がある。
【００５３】
続いて天板２の取り付けについて説明する。図７に示されるように、天板支持フレーム１４の後面部１９には、Ｌ字状に屈曲した取付金具４７がネジ５１で固定され、連結ビーム３５の内側面には、Ｌ字状に屈曲した取付金具４８がネジ５２で固定されており、取付金具４７と取付金具４８の上端面には、それぞれ取付孔４７ａ、４８ａが形成されている。
【００５４】
予め天板２の下面には取付穴（図示略）が所定の取付位置に複数形成されている。この天板２を取付金具４７と取付金具４８の上端面に載置したのち、取付孔４７ａ、４８ａと天板の取付穴が重なる所定位置で、下方よりネジ４９、５０を取付孔４７ａ、４８ａを介して、それぞれの取付穴に螺合させることで、天板２の取り付けが行われ、天板１（図１参照）組み立てが完成する。なお、取付金具の数と取付位置は天板の大きさにより適宜選定される。
【００５５】
本発明であるフレーム構造が適用された本実施例のテーブル１では、コーナー支持部材３に対し、天板支持フレーム１４の端面１８と脚フレーム２１の上端面２４を連結ボルトで直接連結することで支持枠体の連結強度を高め、さらにテーブル１の正面の支持枠体と背面の支持枠体とを連結ビーム３５で連結し、一対の支持枠体を構成することでより連結強度が高まり、長期使用によっても支持枠体の連結強度が維持されることになる。
【００５６】
以上、本発明の実施例を図面により説明してきたが、具体的な構成はこれら実施例に限られるものではなく、本発明の要旨を逸脱しない範囲における変更や追加があっても本発明に含まれ、例えば各部材３、１４、２１を一本の連結ボルト４１、４２のみでなく、複数の連結ボルトを用いて強固に連結するようにしても良い。
【００５７】
また、上記実施例では、コーナーカバー３１を固定ネジ４５、４６によって取り付けることで、強固に前面開口部９に取り付けを行うようにしているが、本発明はネジ固定に限定されるものではなく、コーナーカバー３１の周縁の一部に嵌合突片を設けて前面開口部９に嵌合固定を行うようにしても良い。
【図面の簡単な説明】
【００５８】
【図１】本発明の実施例におけるテーブルの支持枠体構造の全体像を示す斜視図である。
【図２】テーブルの支持枠体を構成するコーナー支持部材と天板支持フレームと脚フレームとの分解組立斜視図を示す図である。
【図３】コーナー支持部材の嵌合突起と天板支持フレームとの連結を示す断面図である。
【図４】テーブルの支持枠体を構成するコーナー支持部材にコーナーカバーと連結ビームを取り付ける分解組立斜視図を示す図である。
【図５】コーナー支持部材とコーナーカバーとの連結を示す断面図である。
【図６】コーナー支持部材と天板支持フレームと脚フレームとコーナーカバーと連結ビームが連結された支持枠体の組立完成斜視図である。
【図７】支持枠体に天板を取り付けた状態を示すテーブルの斜視図である。
【符号の説明】
【００５９】
１                テーブル
２                天板
３                コーナー支持部材（支持枠体の一部）
４                内側面部
４ａ              ボルト挿通孔
５                外側面部
５ａ              凹凸面
６                上面部
６ａ              凹凸面
７                下面部
７ａ              ボルト挿通孔
８                後面部
８ａ              ボルト挿通孔
８ｂ              ネジ挿通孔
８ｃ              ネジ挿通孔
９                前面開口部
１０              嵌合突起
１０ａ            雌ネジ孔
１１              嵌合突起
１１ａ            雌ネジ孔
１４              天板支持フレーム（支持枠体の一部）
１５              上面部
１５ａ            凹凸面
１７              下面部
１８              端面
１８ａ            嵌合溝
１８ｂ            雌ネジ部
１９              後面部
１９ａ            ネジ挿通孔（通孔）
２０              前面部
２０ａ            凹凸面
２１              脚フレーム（支持枠体の一部）
２２              内側面部
２３              外側面部
２３ａ            凹凸面
２４              上端面
２４ａ            嵌合溝
２４ｂ            雌ネジ部
２５              後面部
２５ａ            ネジ挿通孔（通孔）
２６              前面部
２６ａ            凹凸面
３０              コーナーカバー
３１              テーパー面
３１ａ            凹凸面（天板支持フレーム側）
３１ｂ            凹凸面（脚フレーム側）
３２              ネジ受部
３２ａ            ネジ穴
３５              連結ビーム
３６              連結部
３６ａ            ボルト受孔
４０              連結ボルト
４１、４２        連結ボルト
４３、４４        固定ネジ（嵌合突起の位置固定）
４５、４６        固定ネジ（コーナーカバーの位置固定）
４７              取付金具
４７ａ            取付孔
４８              取付金具
４８ａ            取付孔
４９、５０        ネジ
５１、５２        ネジ
【図１】
2005185599.tif 000003
【図２】
2005185599.tif 000004
【図３】
2005185599.tif 000005
【図４】
2005185599.tif 000006
【図５】
2005185599.tif 000007
【図６】
2005185599.tif 000008
【図７】
2005185599.tif 000009